【手続補正書】
【提出日】平成17年2月10日(2005.2.10)
【手続補正１】
【補正対象書類名】特許請求の範囲
【補正対象項目名】全文
【補正方法】変更
【補正の内容】
【特許請求の範囲】
【請求項１】
細胞培養のための容器であって、
外周端部を有する頭部プレートと、
内部表面部、外部表面部及び上部周辺部を有する折りたたみ可能バッグであって、前記バッグの上部周辺部が、前記頭部プレートの外周端部に対して密閉されているバッグと、
柔軟性ブレード及び中央軸を有し、羽根車が中心軸に関して回転しないように前記頭部プレートに取り付けられている羽根車とを備える容器。
【請求項２】
前記バッグが、ポリエチレンからなることを特徴とする請求項１記載の容器。
【請求項３】
予め殺菌されていることを特徴とする請求項１記載の容器。
【請求項４】
前記頭部プレートが、少なくとも一つのポートを有することを特徴とする請求項１記載の容器。
【請求項５】
前記羽根車が、ポリエチレンからなることを特徴とする請求項１記載の容器。
【請求項６】
前記羽根車が、上部領域と底部領域とを有する中空状柔軟性シャフトからなり、前記上部領域が前記頭部プレートに接続されていることを特徴とする請求項１記載の容器。
【請求項７】
前記柔軟性ブレードが、前記シャフトの底部領域に接続されていることを特徴とする請求項６記載の容器。
【請求項８】
前記柔軟性ブレードが、前記シャフトに隣接することを特徴とする請求項７記載の容器。
【請求項９】
前記シャフトが、磁石を含むことを特徴とする請求項７記載の容器。
【請求項１０】
前記シャフトの上部領域が、前記シャフトの動きを周期的な振り子状の回転に制限するための手段を有することを特徴とする請求項６記載の容器。
【請求項１１】
前記手段が、オーリングを含むことを特徴とする請求項１０記載の容器。
【請求項１２】
細胞を培養するための容器であって、
頭部プレートと、
前記頭部プレートに対して密閉されたバッグであって、予め殺菌された折りたたみ可能バッグと、
前記頭部プレートと接続された中空状柔軟性シャフトを有する羽根車と、
前記羽根車に取り付けられた２つの柔軟性ブレードと、
前記柔軟性シャフト上に配された締付け具オーリングとを備えることを特徴とする容器。
【請求項１３】
前記頭部プレートが、前記羽根車の中空状柔軟性シャフトにアクセスするためのポートを有することを特徴とする請求項１２記載の方法。
【請求項１４】
上部領域と底部領域とを有しさらに磁石を含む中空状柔軟性シャフトを備える羽根車であって、前記底部領域が柔軟性ブレードを含み、前記磁石を前記中空状柔軟性シャフトの上部から取り出すことができることを特徴とする羽根車。
【請求項１５】
前記底部領域が、２つの柔軟性ブレードを有することを特徴とする請求項１４記載の羽根車。
【請求項１６】
ポリエチレンからなることを特徴とする請求項１４記載の羽根車。
【請求項１７】
液体を混合するための方法であって、
中空状柔軟性シャフトからなる羽根車を含む容器であって、折りたたみ可能バッグを有する容器を準備する工程と、
前記羽根車の中空状シャフトに磁石を挿入する工程と、
外部磁力を加えることにより、前記磁石と相互作用させ、前記磁石と前記中空状シャフトに動作を与える工程と、
前記羽根車の中空状シャフトの上部から前記磁石を取り出す工程とを備えることを特徴とする方法。
【請求項１８】
さらに、前記容器を処分する工程を含むことを特徴とする請求項１７記載の方法。
【請求項１９】
前記容器が、さらに頭部プレートを含み、前記羽根車の中空状柔軟性シャフトが、上部領域と底部領域を有し、前記上部領域が前記頭部プレートに接続されていることを特徴とする請求項１７記載の方法。
【請求項２０】
予め殺菌された容器内で細胞を培養する方法であって、
前記容器は、頭部プレートと、上部領域及び底部領域を有する中空状柔軟性シャフトと共に、折りたたみ可能バッグを備え、
前記上部領域が前記頭部プレートに接続され、前記底部領域が柔軟性ブレードを含み、さらに、
前記羽根車の中空状シャフトに磁石を挿入する工程と、
前記細胞系と媒体とを前記容器内に注入する工程と、
前記細胞系を増殖させる工程と、
前記細胞系と媒体を前記容器から取り出す工程と、
前記磁石を、前記羽根車の中空状シャフトの上部から取り出す工程と、
前記容器を処分する工程とを備えることを特徴とする方法。
【請求項２１】
折りたたみ可能容器の中で細胞を培養する方法であって、
前記容器は、中空状シャフトを有する羽根車を含み、さらに、
前記中空状シャフト内に磁石を挿入する工程と、
外部磁力を加えることにより、前記磁石と相互作用させ、前記磁石と前記中空状シャフトとに動作を与える工程と、
前記中空状シャフトの上部から前記磁石を取り出す工程とを備えることを特徴とする方法。
【請求項２２】
さらに、前記容器を処分する工程を備えることを特徴とする請求項２１記載の方法。
【請求項２３】
外周端部を有する頭部プレートと、
内部表面部、外部表面部及び上部周辺部を有する折りたたみ可能バッグであって、前記バッグの上部周辺部が前記頭部プレートの外周端部に対して密閉されているバッグと、
前記折りたたみ可能バッグ内に、中央軸及びブレードを有する柔軟性羽根車であって、軸に関して回転しないように前記頭部プレートに取り付けられている羽根車とを備える容器。
【請求項２４】
前記バッグが、ポリエチレンからなることを特徴とする請求項２３記載の容器。
【請求項２５】
予め殺菌されていることを特徴とする請求項２３記載の容器。
【請求項２６】
前記頭部プレートが、少なくとも１つのポートを有することを特徴とする請求項２３記載の容器。
【請求項２７】
前記羽根車が、ポリエチレンからなることを特徴とする請求項２３記載の容器。
【請求項２８】
前記羽根車が、中空状柔軟性シャフト及び柔軟性ブレードからなることを特徴とする請求項２３記載の容器。
【請求項２９】
前記柔軟性ブレードが、前記シャフトの底部領域に接続されていることを特徴とする請求項２８記載の容器。
【請求項３０】
前記柔軟性ブレードが、前記シャフトに隣接することを特徴とする請求項２９記載の容器。
【請求項３１】
前記シャフトが、磁石を包含することを特徴とする請求項２８記載の容器。
【請求項３２】
前記シャフトの上部領域が、前記シャフトの動きを、周期的な振り子状の回転に限定するための手段を含んでいることを特徴とする請求項２８記載の容器。
【請求項３３】
前記手段が、オーリングを含むことを特徴とする請求項３２記載の容器。
【請求項３４】
頭部プレートと、
前記頭部プレートに対して密閉されたバッグであって、予め殺菌された折りたたみ可能バッグと、
前記頭部プレートに接続された中空状柔軟性シャフトを有する羽根車と、
前記羽根車に取り付けられた２つの柔軟性ブレードと、
前記柔軟性シャフト上に配されたオーリングと、
前記羽根車の中空状柔軟性シャフトにアクセスするためのポートであって、前記頭部プレート内に配されたポートとを備えることを特徴とする容器。
【請求項３５】
容器の内容物を混合するための方法であって、
前記容器が中空状シャフトを有する羽根車を含み、
前記中空状シャフトの上部から磁石を挿入する工程と、
外部磁力を加えることにより、前記磁石と相互作用させ、前記磁石と前記中空状シャフトとに動作を与える工程とを備える方法。
【請求項３６】
さらに、前記容器を処分する工程を備えることを特徴とする請求項３５記載の方法。
【請求項３７】
予め殺菌された容器内の内容物を混合する方法であって、
前記容器が、
頭部プレートと、
内部、上部領域及び底部領域を有する中空状柔軟性シャフトからなる羽根車と、
を備える折りたたみ可能バッグを有し、
前記シャフトの内側が前記頭部プレートのホールに通じるように、前記上部領域が前記頭部プレートに接続され、前記底部領域が柔軟性ブレードを含み、さらに、
前記羽根車の中空状シャフトに、前記頭部プレートのホールを介して磁石を挿入する工程と、
前記容器に内容物を導入する工程と、
外部磁力を加えることにより、前記磁石と相互作用させ、前記磁石と前記中空状シャフトに動作を与える工程と、
前記内容物を混合する工程と、
前記容器から前記内容物を取り出す工程と、
前記容器を処分する工程とを備えることを特徴とする方法。
【請求項３８】
中央軸、上端部および下端部を有するシャフトと、前記シャフトから突出した１以上のブレードとを備え、
前記シャフトの上端部が、中央軸に関して回転しないように制限されていることを特徴とする羽根車。
【請求項３９】
前記ブレードが、柔軟性であることを特徴とする請求項３８記載の羽根車。
【請求項４０】
前記柔軟性ブレードが、第一の角度で前記シャフトから突出しており、使用中において、シャフトから突出する複数のブレードのなす角度が前記第一の角度より小さくなり、その後前記第一の角度より大きくなるように交互に曲がることを特徴とする請求項３８記載の羽根車。